(57)【特許請求の範囲】
【請求項１】
グルーブトラックと、１つのプリピットを含むプリピット列が前記グルーブトラックの所定のデータ単位毎に予め形成されたランドトラックと、を有する光学式記録媒体であって、
制御データを含む制御データ領域におけるグルーブトラックの少なくとも一部は、前記グルーブトラックに記録すべきＲＦ信号の周波数帯域に対応する周期で分割されて断続的な構造を有し、
前記一部におけるグルーブトラックの前記プリピット列に隣接する部分は、少なくともプリピットの始端から終端に亘り連続していることを特徴とする光学式記録媒体。
【請求項２】
前記プリピット列に隣接する両側のグルーブトラックは、少なくともプリピットの始端から終端に亘り連続した構造を有することを特徴とする請求項１に記載の光学式記録媒体。
【請求項３】
前記プリピット列に隣接する少なくとも一方のグルーブトラックは、少なくともプリピットの始端から終端に亘り連続していることを特徴とする請求項１に記載の光学式記録媒体。
【請求項４】
前記プリピット列に隣接する両側のグルーブトラックは、少なくともプリピット列が存在する領域で連続していることを特徴とする請求項２に記載の光学式記録媒体。
【請求項５】
前記プリピット列に隣接する片側のグルーブトラックは、少なくともプリピット列が存在する領域で連続していることを特徴とする請求項３に記載の光学式記録媒体。
【請求項６】
グルーブトラックと、１つのプリピットを含むプリピット列が前記グルーブトラックの所定のデータ単位毎に予め形成されたランドトラックと、を有する光学式記録媒体であって、
制御データを含む制御データ領域におけるグルーブトラックの少なくとも一部は、前記グルーブトラックに記録すべきＲＦ信号の周波数帯域に対応する周期で分割されて断続的な構造を有し、
前記一部におけるグルーブトラックの前記プリピット列に隣接する部分は、少なくともプリピットの始端から終端に亘り連続したミラー部であることを特徴とする光学式記録媒体。
【請求項７】
前記プリピット列に隣接する少なくとも両側のグルーブトラックは、少なくともプリピットの始端から終端に亘り連続したミラー部の構造を有することを特徴とする請求項６に記載の光学式記録媒体。
【請求項８】
前記プリピット列に隣接する片側のグルーブトラックは、少なくともプリピット列が存在する領域で連続したミラー部の構造を有することを特徴とする請求項６に記載の光学式記録媒体。
【請求項９】
前記プリピット列に隣接する両側のグルーブトラックは、少なくともプリピット列が存在する領域で連続したミラー部の構造を有することを特徴とする請求項７に記載の光学式記録媒体。
【請求項１０】
前記プリピット列に隣接する片側のグルーブトラックは、少なくともプリピット列が存在する領域で連続したミラー部の構造を有することを特徴とする請求項８に記載の光学式記録媒体。
【請求項１１】
前記制御データ領域は、リードインエリアであることを特徴とする請求項１に記載の光学式記録媒体。
【請求項１２】
グルーブトラックと、１つのプリピットを含むプリピット列が前記グルーブトラックの所定のデータ単位毎に予め形成されたランドトラックと、を有する光学式記録媒体の製造方法であって、
制御データを含む制御データ領域におけるグルーブトラックの少なくとも一部は、前記グルーブトラックに記録すべきＲＦ信号の周波数帯域に対応する周期で分割されて断続的な構造を有し、
前記一部におけるグルーブトラックの前記プリピット列に隣接する部分は、少なくともプリピットの始端から終端に亘り連続連続した構造を有するように形成することを特徴とする光学式記録媒体の製造方法。
【請求項１３】
グルーブトラックと、１つのプリピットを含むプリピット列が前記グルーブトラックの所定のデータ単位毎に予め形成されたランドトラックと、を有する光学式記録媒体の製造方法であって、
制御データを含む制御データ領域におけるグルーブトラックの少なくとも一部は、前記グルーブトラックに記録すべきＲＦ信号の周波数帯域に対応する周期で分割されて断続的な構造を有し、
前記一部におけるグルーブトラックの前記プリピット列に隣接する部分は、少なくともプリピットの始端から終端に亘り連続したミラー部であるように形成することを特徴とする光学式記録媒体の製造方法。
【請求項１４】
前記制御データ領域は、リードインエリアであることを特徴とする請求項１３に記載の光学式記録媒体の製造方法。
【発明の詳細な説明】
【０００１】
【発明の属する技術分野】
本発明は光学式記録媒体及びその製造方法、特に、ユーザによる記録が可能な光学式記録媒体であって、情報データの不正な記録再生を不可能とする記録媒体及びその製造方法に関する。
【０００２】
【従来技術】
現在、光学式記録媒体として、ユーザによる記録が可能で、数ギガバイト（Ｇｂｙｔｅ）の記録容量を有する追記型のＤＶＤ−Ｒ（Ｄｉｇｉｔａｌ  Ｖｅｒｓａｔｉｌｅ  Ｄｉｓｃ  −  Ｒｅｃｏｒｄａｂｌｅ）の製品化、及び書換可能なＤＶＤ−ＲＷ（ＤＶＤ  −  Ｒｅｗｒｉｔａｂｌｅ）の開発が行われている。また、このような大容量のデジタル光学式記録媒体及び記録再生装置の著しい性能向上により、高品質でほとんど劣化のない大容量の複製を行うことが可能となっている。
【０００３】
図１は、ＤＶＤ−ＲＷを例に、記録面半径方向の物理セクタのレイアウトを示す図である。情報データを記録する情報エリアには、情報エリアの開始点（物理セクタの開始点）から半径方向外向きにリードインエリア、データエリア、及びリードアウトエリアが順に構成されている。
図２に示すように、リードインエリアには参照コード、コントロールデータ等、ディスクの再生のためのデータが含まれている。コントロールデータ領域は、１９２個のＥＣＣ（Ｅｒｒｏｒ  Ｃｏｒｒｅｃｔｉｏｎ  Ｃｏｄｅ）ブロックから構成される。図２において、コントロールデータ領域内のＥＣＣブロックの構成が０から１５の相対セクタ番号を用いて示されている。これらＥＣＣブロックの各々の内容は全て同一である。すなわち、同一内容のＥＣＣブロックが１９２個連続して記録されている。また、ＥＣＣブロックは１６セクタからなり、各ＥＣＣブロックには、物理フォーマット情報、ディスク製造情報、及びコンテンツプロバイダ情報が記録される。従って、情報データの記録時には、これらの再生に関するデータがリードインエリアのコントロールデータ領域に記録され、このディスクの再生時には、再生装置がこれらのデータを読み取り、読み取った情報に基づいて映像データ等の記録情報データの再生を実行することによってディスクの記録及び再生がなされる。
【０００４】
しかしながら、上記したように容易に高品質で大容量の複製が可能となったことに伴い、映像・音声データやコンピュータプログラム等の記録情報データの不正な、又は違法なコピーを防ぐコピープロテクション技術の開発が重要な課題となっている。
【０００５】
【発明が解決しようとする課題】
本発明は、上述した点に鑑みてなされたものであり、情報データの不正な記録再生を不可能とする光学式記録媒体及びその製造方法を提供することを目的とする。
【０００６】
【課題を解決するための手段】
本発明による光学式記録媒体は、情報データ信号を記録するための交互に現れるマーク部及びスペース部を担うグルーブトラックと、事前記録情報を担う少なくとも１つのプリピットを含むプリピット列がグルーブトラックの所定のデータ単位毎に予め形成されたランドトラックと、が交互に形成された情報データ記録領域を有する光学式記録媒体であって、グルーブトラックの少なくとも一部は、グルーブ非形成部によって光学式記録媒体の回転方向において分断された複数のグルーブ部を有し、マーク部の各々又はスペース部の各々はグルーブ非形成部の１つを含むことを特徴としている。
【０００７】
本発明による光学式記録媒体は、情報データ信号を記録するための交互に現れるマーク部及びスペース部を担うグルーブトラックと、事前記録情報を担う少なくとも１つのプリピットを含むプリピット列がグルーブトラックの所定のデータ単位毎に予め形成されたランドトラックと、が交互に形成された情報データ記録領域を有する光学式記録媒体であって、グルーブトラックの少なくとも一部は、グルーブ非形成部によって光学式記録媒体の回転方向において分断された複数のグルーブ部を有し、マーク部の各々又はスペース部の各々はグルーブ非形成部の１つを含み、プリピット列に隣接する２の複数のグルーブ部からなるグルーブトラックのうち少なくとも１は、光学式記録媒体の回転方向におけるプリピット列に含まれる少なくとも１のプリピットにおいて、少なくとも始端から終端に亘り連続したグルーブ部を有することを特徴としている。
【０００８】
本発明による光学式記録媒体は、情報データ信号を記録するための交互に現れるマーク部及びスペース部を担うグルーブトラックと、事前記録情報を担う少なくとも１つのプリピットを含むプリピット列がグルーブトラックの所定のデータ単位毎に予め形成されたランドトラックと、が交互に形成された情報データ記録領域を有する光学式記録媒体であって、グルーブトラックの少なくとも一部は、グルーブ非形成部によって光学式記録媒体の回転方向において分断された複数のグルーブ部を有し、マーク部の各々又はスペース部の各々はグルーブ非形成部の１つを含み、プリピット列に隣接する２の複数のグルーブ部からなるグルーブトラックのうち少なくとも１は、光学式記録媒体の回転方向におけるプリピット列に含まれる少なくとも１のプリピットにおいて、少なくとも始端から終端に亘り連続したグルーブ非形成部を有することを特徴としている。
【０００９】
本発明による光学式記録媒体は、情報データ信号を記録するための交互に現れるマーク部及びスペース部を担うグルーブトラックと、事前記録情報を担う少なくとも１つのプリピットを含むプリピット列がグルーブトラックの所定のデータ単位毎に予め形成されたランドトラックと、が交互に形成された情報データ記録領域を有する光学式記録媒体であって、グルーブトラックの少なくとも一部は、グルーブ非形成部によって光学式記録媒体の回転方向において分断された複数のグルーブ部を有し、マーク部の各々又はスペース部の各々はグルーブ非形成部の１つを含み、プリピット列に隣接する２の複数のグルーブ部からなるグルーブトラックのうち１は、光学式記録媒体の回転方向におけるプリピット列に含まれる少なくとも１のプリピットにおいて、少なくとも始端から終端に亘り連続したグルーブ部を有し、他の１の隣接グルーブトラックは、光学式記録媒体の回転方向における１のプリピットの少なくとも始端から終端に亘り連続したグルーブ非形成部を有することを特徴としている。
【００１０】
本発明による光学式記録媒体を製造する方法は、情報データ記録領域を有する光学式記録媒体を製造する方法であって、情報データ信号を記録するための交互に現れるマーク部及びスペース部を担うグルーブトラックを形成するステップと、事前記録情報を担う少なくとも１つのプリピットを含むプリピット列をグルーブトラックの所定のデータ単位毎に有するランドトラックをグルーブトラックと交互に形成するステップと、を有し、グルーブトラックを形成するステップは、グルーブトラックの少なくとも一部に、グルーブ非形成部によって光学式記録媒体の回転方向において分断された複数のグルーブ部を形成するステップを含み、マーク部の各々又はスペース部の各々はグルーブ非形成部の１つを含むことを特徴としている。
【００１１】
本発明による光学式記録媒体を製造する方法は、情報データ記録領域を有する光学式記録媒体を製造する方法であって、情報データ信号を記録するための交互に現れるマーク部及びスペース部を担うグルーブトラックを形成するステップと、事前記録情報を担う少なくとも１つのプリピットを含むプリピット列をグルーブトラックの所定のデータ単位毎に有するランドトラックをグルーブトラックと交互に形成するステップと、を有し、グルーブトラックを形成するステップは、グルーブトラックの少なくとも一部に、グルーブ非形成部によって光学式記録媒体の回転方向において分断された複数のグルーブ部を形成するステップを含み、マーク部の各々又はスペース部の各々はグルーブ非形成部の１つを含み、プリピット列に隣接する２つのグルーブトラックのうち少なくとも１は、プリピット列に含まれる少なくとも１のプリピットにおいて、少なくとも始端から終端に亘り連続したグルーブ部であることを特徴としている。
【００１２】
本発明による光学式記録媒体を製造する方法は、情報データ記録領域を有する光学式記録媒体を製造する方法であって情報データ信号を記録するための交互に現れるマーク部及びスペース部を担うグルーブトラックを形成するステップと、事前記録情報を担う少なくとも１つのプリピットを含むプリピット列をグルーブトラックの所定のデータ単位毎に有するランドトラックをグルーブトラックと交互に形成するステップと、を有し、グルーブトラックを形成するステップは、グルーブトラックの少なくとも一部に、グルーブ非形成部によって光学式記録媒体の回転方向において分断された複数のグルーブ部を形成するステップを含み、マーク部の各々又はスペース部の各々はグルーブ非形成部の１つを含み、プリピット列に隣接する２つのグルーブトラックのうち少なくとも１は、プリピット列に含まれる少なくとも１のプリピットにおいて、少なくとも始端から終端に亘り連続したグルーブ非形成部であることを特徴としている。
【００１３】
【発明の実施の形態】
以下、本発明の実施形態を図面を参照しつつ詳細に説明する。
図３は、ＤＶＤ−ＲＷを例に、従来の記録可能な光学式記録媒体の記録面の構造を示す斜視図である。
図３において、光ディスク（ＤＶＤ−ＲＷ）１１はデータ記録層として相変化材料（例えば、ＧｅＳｂＴｅ等）からなる記録層及びこれを挟むガラス質（ＺｎＳ−ＳｉＯ２）の保護層から構成されるマルチ層１５を備えた情報データの書き換え可能な相変化型光ディスクであり、情報記録トラックとしてのグルーブトラック１２と当該グルーブトラック１２に再生光又は記録光としてのレーザビーム等の光ビーム（Ｂ）を誘導するためのガイドトラックとしてのランドトラック１３が形成されている。また、記録されたデータを再生する際に光ビーム（Ｂ）を反射するための反射層１６、及びこれらを透明基板（ポリカーボネート）１８に接着するための接着層１９を備えている。更に、光ビーム（Ｂ）の入射面側にはそれらを保護するための透明膜（ポリカーボネート）１７が設けられている。ランドトラック１３には、プリ情報（事前記録情報）に対応するプリピット１４が形成されている。このプリピット１４は、情報記録再生装置が記録再生時に用いるプリ情報、すなわち、グルーブトラック１２上の位置を認識する為のアドレス、並びに同期情報を担い、光ディスク１１を出荷する前に予め形成されているものである。
【００１４】
更に、光ディスク１１においては、グルーブトラック１２はディスク回転速度に対応する周波数でウォブリングされている。このウォブリングされたグルーブトラック１２は、上記プリピット１４と同様に、光ディスク１１を出荷する前に予め形成されるものである。
光ディスク１１に記録情報データ（プリ情報以外の本来記録するべき画像情報等の情報データをいう。以下同じ）を記録する際には、情報記録装置においてこのグルーブトラック１２のウォブリング周波数を抽出することにより光ディスク１１を所定の回転速度で回転制御すると共に、プリピット１４を検出することにより予めプリ情報を取得し、それに基づいて記録光としての光ビーム（Ｂ）の最適出力等が設定されると共に、記録情報データを記録すべき光ディスク１１上の位置を示すアドレス情報等が取得され、このアドレス情報に基づいて記録情報データが対応する記録位置に記録される。
【００１５】
ここで、記録情報データの記録時には、光ビーム（Ｂ）をその中心がグルーブトラック１２の中心と一致するように照射してグルーブトラック１２上に記録情報データに対応する記録情報ピットを形成することにより、記録情報データを記録する。この時、光スポット（ＳＰ）の大きさは、図３に示すように、その一部がグルーブトラック１２だけではなくランドトラック１３にも照射されるように設定される。
【００１６】
ランドトラック１３に照射された光スポット（ＳＰ）の一部の反射光を用い、例えば、プッシュプル法（グルーブトラック１２の接線方向、すなわち、光ディスク１１の回転方向に平行な分割線により分割された光検出器を用いたプッシュプル法（以下、ラジアルプッシュプル方式という））により、プリピット１４からプリ情報を検出して当該プリ情報が取得されると共にグルーブトラック１２からウォブル信号を抽出してディスクの回転に同期した記録用クロック信号が取得される。
【００１７】
次に、上記光ディスク１１に予め記録されているプリ情報の記録フォーマットについて、図４を用いて説明する。なお、図４について、上段は記録情報データにおける記録フォーマットを示し、下段の波形は当該記録情報データを記録するグルーブトラック１２のウォブリング状態（  グルーブトラック１２の平面図）を示し、記録情報データとグルーブトラック１２のウォブリング状態の間の上向き矢印は、プリピット１４が形成される位置を模式的に示すものである。ここで、図４においては、グルーブトラック１２のウォブリング状態は、理解の容易のため実際の振幅よりも大きい振幅を用いて示している。なお、記録情報データは当該グルーブトラック１２の中心線上に記録される。
【００１８】
図４に示すように、上記光ディスク１１に記録される記録情報データは、予め情報単位としてのシンクフレーム毎に分割されている。そして、２６のシンクフレームにより１のレコーディングセクタが形成され、更に、１６のレコーディングセクタにより１のＥＣＣブロックが形成される。なお、１のシンクフレームは、上記記録情報データを記録する際の記録フォーマットにより規定されるチャネルビット長（以下、Ｔという）の１４８８倍（１４８８Ｔ）の長さを有しており、更に、１のシンクフレームの先頭の３２Ｔの長さの部分はシンクフレーム毎の同期をとるための同期情報ＳＹとして用いられる。
【００１９】
一方、上記光ディスク１１に記録されるプリ情報は、シンクフレーム毎に記録される。ここで、プリピット１４により光ディスク１１にプリ情報が記録される場合は、記録情報における夫々のシンクフレームにおける同期情報ＳＹが記録される領域に隣接するランドトラック１３上に、プリ情報における同期信号を示すものとして必ず１のプリピット１４が形成されると共に、当該同期情報ＳＹ以外の当該シンクフレーム内の前半部分に隣接するランドトラックの１３上に、記録するべきプリ情報の内容を示すものとして２又は１のプリピット１４が形成される（なお、同期情報ＳＹ以外の当該シンクフレーム内の前半部分については、記録すべきプリ情報の内容によってはプリピット１４が形成されない場合もある）。  この際、通常は、偶数番目のシンクフレーム（以下、ＥＶＥＮフレームという）のみにプリピット１４が形成されてプリ情報が記録される（例外については後述する）。すなわち、図４において、ＥＶＥＮフレームにプリピット１４が形成されたが（図４において実線上向き矢印で示す）それに隣接するＯＤＤフレームにはプリピット１４は形成されない。より詳細には、ＥＶＥＮフレームにプリピットを形成する場合には、レコーディングセクタの先頭のシンクフレームにおいては、全てのプリピット１４（プリピットＢ２、Ｂ１及びＢ０。ここで、シンクフレームの先頭から夫々プリピットＢ２、Ｂ１、Ｂ０とする。）が形成されており、レコーディングセクタの先頭以外のシンクフレームにおいては当該シンクフレームに記録すべきプリ情報が「１」のときにはプリピットＢ２及びＢ０が形成されており、記録すべき情報が「０」のときにはプリピットＢ２のみが形成される。また、ＯＤＤフレームにプリピットを形成する場合には、、レコーディングセクタの先頭のシンクフレームにおいては、プリピットＢ２及びＢ１が形成されており、レコーディングセクタの先頭以外のシンクフレームにおいては上記ＥＶＥＮフレームの場合と同様である。すなわち、プリピット１４はプリピット列Ｂ２、Ｂ１、Ｂ０のパターンによって異なる意味を持つ。
【００２０】
なお、プリピット１４をＥＶＥＮフレーム／ＯＤＤフレームのいずれのシンクフレームに形成するかは、隣接するランドトラック上に先行して形成されたプリビット１４の位置に依存して決められる。すなわち、プリピット１４は通常ＥＶＥＮフレームに形成されるが、当該ＥＶＥＮフレームにプリピット１４を形成した場合に、先行して形成された隣接するランドトラック上のプリピット１４と光ディスク１１のディスクの径方向において近接する時には、ＯＤＤフレームにプリピット１４が形成されるのである。このように形成することにより、隣接するランドトラック位置にはプリピット１４が存在しなくなるためプリピット１４の検出に当ってはクロストークによる影響を低減できる。
【００２１】
一方、グルーブトラック１２は、全てのシンクフレームに亘って１４０ｋＨｚの一定ウォブリング周波数ｆ０（１のシンクフレーム内に８波分のウォブル信号が入る周波数）でウォブリングされている。そして、情報記録装置において、この一定のウォブリング周波数ｆ０を抽出することで、スピンドルモータの回転制御のための信号が検出されると共に、記録用クロック信号が生成される。
【００２２】
次に、図５を用いて本発明の第１の実施例について詳細に説明する。
図５は、リードインエリアにおけるコントロールデータ部のグルーブトラック１２及びランドトラック１３を模式的に示す平面図である。
まず、グルーブトラック１２は、３つのプリピット１４Ａ、１４Ｂ、１４Ｃからなるプリピット列の近傍を除き、ランドトラック１３と同じ深さ（同一平面）の部分、すなわち、グルーブ非形成部によって分割された断続的なグルーブトラックとして形成されている。グルーブトラック１２は、例えば、グルーブカッティング時のカッティング光ビームを８／１６変調し、出射パワーのＯＮ−ＯＦＦ（デューティ比は約５０％）により作製されている。すなわち、グルーブトラック１２は、光ディスクに記録される記録ＲＦ信号（８／１６変調された後の記録信号）と同じ周波数帯域の信号によって分割された断続的な構造を有する。これは、個々のグルーブ部とグルーブ非形成部（以下、ミラー部と称する）の長さが情報記録によって形成されるピットの長さ及びピット間隔と同等であるとも言える。すなわち、グルーブ部の各々は、情報データのマーク（若しくはスペース）に対応する。
【００２３】
一方、プリピット１４Ａ、１４Ｂ、１４Ｃを読み取る際にトレースするトラックには、これらのプリピットを含むシンクフレーム内において、少なくともプリピット１４Ａ、１４Ｂ、１４Ｃの全ての領域に隣接する連続的なグルーブ１２Ａが形成されている。すなわち、グルーブ１２Ａは、少なくともトラッキング方向におけるプリピット列の始端（プリピット１４Ａの始端）からプリピット列の終端（プリピット１４Ｃの終端）まで連続なグルーブとして形成されている。また、本実施例においては、更に、プリピット１４Ａ、１４Ｂ、１４Ｃを挟みプリピット１４Ａ、１４Ｂ、１４Ｃに隣接する他の連続グルーブ１２Ｂが構成されている。
【００２４】
上記した構造を持つ断続的なグルーブトラックに８／１６変調されたなんらかの情報を記録した後に再生を行うと、グルーブ１２Ａの領域を除き、断続グルーブトラックから再生したＲＦ信号は振幅が小さくなり読み取ることができない。それは、グルーブトラック自体の断続（ＯＮ−ＯＦＦ）が記録されたＲＦ信号と同等の周波数帯域であるために互いに干渉し合うためである。一方、プリピット１４Ａ、１４Ｂ、１４Ｃが形成された領域では連続グルーブ１２Ａ、１２Ｂによって信号の干渉は生じないので、プリ情報信号の読み出しが可能となる。また、グルーブ１２Ａの領域においては、プリピット信号以外にも他の制御信号（トラッキングエラー信号、ウォブル信号）の読み出しが可能でなければならない。前述のように、断続グルーブトラックでは約５０％のデューティ比でグルーブが存在しているため、プシュプルトラッキングエラー信号及びウォブル信号のレベルは連続グルーブの約５０％となるが、十分にトラッキング制御が可能である。
【００２５】
従って、リードインエリアのコントロールデータ部において、プリピットに隣接する領域を除きグルーブトラックを断続的に形成することによって、コントロールデータ部にコントロールデータを記録しても、再生時にはこの区間の再生ＲＦ信号のレベルが低くなり、結果的にコントロールデータの再生が不可能となる。すなわち、本来記録及び再生すべき画像情報等の記録情報データの再生が不可能となり、不正なコピーを防止することができる。なお、本記録媒体に適正にコピーを行う場合のコピープロテクションの回避方法については、回避装置やコンピュータプログラムなどハードウエア又はソフトウエア的な種々の方法を採ることができる。
【００２６】
次に、図６を用いて本発明の第２の実施例について詳細に説明する。
図６は、リードインエリアにおけるコントロールデータ部のグルーブトラック１２及びランドトラック１３を模式的に示す平面図である。
本実施例が第１の実施例と異なるのは、プリピット１４Ａ、１４Ｂ、１４Ｃを読み取る際にトレースするトラックに、少なくともプリピット１４Ａ、１４Ｂ、１４Ｃの全ての領域に隣接する領域が連続的なミラー部２２Ａとして形成されている点である。すなわち、ミラー部２２Ａは、少なくともトラッキング方向におけるプリピット１４Ａの始端からプリピット１４Ｃの終端まで連続に形成されている。また、本実施例においては、更に、プリピット１４Ａ、１４Ｂ、１４Ｃを挟みプリピット１４Ａ、１４Ｂ、１４Ｃに隣接する他のミラー部２２Ｂが構成されている。
【００２７】
従って、第１の実施例の場合と同様に、上記した構成によって、断続グルーブトラックの記録領域からの再生ＲＦ信号はグルーブトラック自体のＯＮ−ＯＦＦと記録されたＲＦ信号との干渉のため読み出すことができず、一方、プリピット１４Ａ、１４Ｂ、１４Ｃに隣接する領域では連続ミラー部２２Ａ、２２Ｂによってプリ情報の読み出しが可能となる。
【００２８】
尚、第１及び第２の実施例の連続グルーブ及び連続ミラー部を組み合わせて用いてもよいことは明らかである。例えば、プリピット１４Ａ、１４Ｂ、１４Ｃを読み取る際にトレースするトラックには、少なくともプリピット１４Ａ、１４Ｂ、１４Ｃの全ての領域に隣接する連続的なグルーブ１２Ａを形成し、プリピット１４Ａ、１４Ｂ、１４Ｃを挟みプリピット１４Ａ、１４Ｂ、１４Ｃに隣接するようにミラー部２２Ｂを形成してもよい。
【００２９】
次に、図７及び図８を用いて、それぞれ本発明の第３及び第４の実施例について説明する。
図７及び図８は、リードインエリアにおけるコントロールデータ部のグルーブトラック１２及びランドトラック１３を模式的に示す平面図である。
図７に示すように、第３の実施例が上記した実施例と異なるのは、プリピット１４Ａ、１４Ｂ、１４Ｃを読み取る際にトレースするトラックにのみ、少なくともプリピット１４Ａ、１４Ｂ、１４Ｃの全ての領域に隣接する連続グルーブ１２Ａを形成している点である。かかる構成においても、連続グルーブ１２Ａによってこの区間においては信号の干渉が生じないのでプリ情報の読み出しが可能となる。
【００３０】
また、図８は、レコーディングセクタの先頭以外のシンクフレームに２つのプリピット１４を形成する場合（プリピットＢ２及びＢ０、又はプリピットＢ２及びＢ１）を例に示している。本実施例においては、連続グルーブ１２Ａの代わりに連続ミラー部２２Ａを形成しており、この場合にも、上記第３の実施例と同様な効果が得られる。
【００３１】
次に、図９及び図１０を用いて、それぞれ本発明の第５及び第６の実施例について説明する。
第５及び第６の実施例が上記した実施例と異なるのは、１つのプリピット１４Ａのみが形成されている点である。これらの場合であっても、プリピット１４Ａを読み取る際にトレースするトラックに、少なくともプリピット１４Ａが形成される全ての区間に隣接して、すなわち、トラッキング方向におけるプリピット１４Ａの始端から終端まで連続した連続グルーブ１２Ａ（図９）又は連続ミラー部２２Ａ（図１０）を形成することによって信号の干渉を避け、プリ情報の読み出しを行うことが可能となる。
【００３２】
次に、本発明の第７の実施例について以下に説明する。図１１に示すように、リードインエリアにおけるコントロールデータ部は、グルーブトラック１２及びランドトラック１３から構成されている。グルーブトラック１２は、上記した実施例の場合と同様に、ミラー部２２Ｃによって複数のグルーブ部１２Ｃに分割されている。
【００３３】
本実施例においては、各グルーブ部１２Ｃは、基本ピット部３１及び延長部３２からなっている。基本ピット部３１は、情報データのマーク（若しくはスペース）に対応するピット長を有している。変調方法として、例えば、８ビットのデータを１６チャネルビットのデータに変換する８／１６変調を用いた場合では、基本ピット部３１の最小ピット長は３Ｔであり、最大ピット長は１１Ｔである。ここで、Ｔは第１の実施例において説明したように、記録時のチャネルビット長である。また、同期パターンとして、例えば、長さが１４Ｔのピットを用いた場合では、最大のピット長は１４Ｔとなる。
【００３４】
まず、グルーブトラック１２を複数のグルーブ部１２Ｃに分断して形成するにあたって、上記した実施例の場合と同様に、コントロールデータ部において全基本ピット部３１のグルーブトラック１２におけるデューティ比は略５０％となるように定められる。更に、本実施例においては、プッシュプル法における光検出信号レベル（以下、単にプッシュプル信号レベルと称する）を向上するために、各基本ピット部３１に所定長の延長部３２（グルーブ形成部）を付加してグルーブ部を構成している。
【００３５】
図１２は、当該延長部３２の長さに対するプッシュプル信号レベルの変化を示している。基本ピット部３１に延長部を付加しない場合のプッシュプル信号レベルは、０．１４２であるが、延長部の長さを増大するにつれプッシュプル信号レベルも増大する。延長部の長さを３Ｔとしたときには、プッシュプル信号レベルは０．２３３と十分なレベルまで向上する。なお、延長部を長くすることにより、プッシュプル信号レベルも増大するが、あまり長くしすぎるとグルーブ部１２Ｃに対する不正な記録再生を不可能にするという効果が低減するトレードオフがある。
【００３６】
なお、延長部３２の長さ、基本ピット部３１のデューティ比等は、光検出信号レベル等を考慮して適宜変更することができる。上記した実施例においては、延長部の長さを一定としたが、基本ピット部３１に後続するミラー部２２Ｃの長さに応じて延長部３２の長さを定めてもよい。例えば、基本ピット部に付加する延長部の長さが当該基本ピット部に後続するミラー部の所定割合の長さとなるようにしてもよい。また、上記した第１ないし第６の実施例の場合と同様の構成を有するプリピットを有していてもよい。
【００３７】
従って、本発明によれば、各基本ピット部３１に所定長の延長部３２を付加することによって、不正な記録再生を防ぐと共にプッシュプル信号レベルを向上し、トラッキング性能を改善することができる。
尚、上記した実施例において示した連続グルーブ又は連続ミラー部等は、適宜組み合わせて用いてもよい。
【００３８】
また、上記した実施例において、グルーブトラック１２は光ディスクの記録ＲＦ信号と同じ帯域の信号によって分割された場合を例に説明したが、記録ＲＦ信号の帯域の一部を含む信号によって分割してもよい。
更に、上記した実施例においては光記録媒体としてＤＶＤ−ＲＷを例に説明したが、本発明はこれに限定されず、例えば、ＤＶＤ−Ｒなど他の光記録媒体にも適用することができる。
【００３９】
【発明の効果】
上記したことから明らかなように、本発明によれば、リードインエリアのコントロールデータ部において、プリピットに隣接する領域を除きグルーブトラックを断続的に形成することによって、コントロールデータ部にコントロールデータを記録してもコントロールデータの再生が不可能となり、不正な記録情報データのコピーを防止することが可能な光記録媒体を実現できる。また、リードインエリアのコントロールデータ部に限らず、本発明の構造の断続的グルーブトラックを設けることにより、光ディスクの任意の部分の再生ＲＦ信号の読み取りを禁止することができる。
【図面の簡単な説明】
【図１】追記又は書換可能なＤＶＤの記録面半径方向の物理セクタのレイアウトを示す図である。
【図２】リードインエリア及びコントロールデータ領域の構成を示す図である。
【図３】従来のＤＶＤ−ＲＷにおけるコントロールデータ領域の構造を示す斜視図である。
【図４】物理セクタのフレーム構成及びプリピットを説明するための図である。
【図５】本発明による第１の実施例のコントロールデータ部のグルーブトラック及びランドトラックを模式的に示す平面図である。
【図６】本発明による第２の実施例のコントロールデータ部のグルーブトラック及びランドトラックを模式的に示す平面図である。
【図７】本発明による第３の実施例のコントロールデータ部のグルーブトラック及びランドトラックを模式的に示す平面図である。
【図８】本発明による第４の実施例のコントロールデータ部のグルーブトラック及びランドトラックを模式的に示す平面図である。
【図９】本発明による第５の実施例のコントロールデータ部のグルーブトラック及びランドトラックを模式的に示す平面図である。
【図１０】本発明による第６の実施例のコントロールデータ部のグルーブトラック及びランドトラックを模式的に示す平面図である。
【図１１】本発明の第７の実施例であるコントロールデータ部のグルーブトラック及びランドトラックの構成を模式的に示す平面図である。
【図１２】図１１に示す延長部の長さに対するプッシュプル信号レベルの変化を示すグラフである。
【主要部分の符号の説明】
１１    ＤＶＤ−ＲＷ
１２    グルーブトラック
１２Ａ，１２Ｂ  連続グルーブ
１２Ｃ  グルーブ部
１３    ランドトラック
１４，１４Ａ，１４Ｂ，１４Ｃ    プリピット
１５    マルチ層
１６    反射層
１７  透明膜
１８    透明基板
１９  接着層
２２Ａ，２２Ｂ，２２Ｃ    ミラー部
３１  基本ピット部
３２  延長部
【図１】
0003543950.tif 000002
【図２】
0003543950.tif 000003
【図３】
0003543950.tif 000004
【図４】
0003543950.tif 000005
【図５】
0003543950.tif 000006
【図６】
0003543950.tif 000007
【図７】
0003543950.tif 000008
【図８】
0003543950.tif 000009
【図９】
0003543950.tif 000010
【図１０】
0003543950.tif 000011
【図１１】
0003543950.tif 000012
【図１２】
0003543950.tif 000013